(57)【要約】【解決手段】  （Ａ）アミノ基を有する単量体及び／又は４級アンモニウム基を有する単量体と、（Ｂ）（メタ）アクリル酸エステル単量体、（Ｃ）ビニルラクタム単量体及び（Ｄ）上記（Ａ）、（Ｂ）及び（Ｃ）以外のノニオン性親水性単量体の１種又は２種以上の単量体を、特定の割合で共重合させてなる高分子化合物を含有するコンタクトレンズ用プレケア剤。【効果】  本発明のコンタクトレンズ用プレケア剤によれば、コンタクトレンズ装用中に発生するレンズのタンパク質等の汚れ付着を防止し、うるおい感を与え、眼の乾き等の装用感悪化を抑制するコンタクトレンズ用プレケア剤、プレケア方法を提供することができる。【選択図】      なし【特許請求の範囲】
【請求項１】
下記（Ａ）〜（Ｄ）の単量体中、（Ａ）単量体と、（Ｂ）〜（Ｄ）単量体から選ばれる１種又は２種以上の単量体とを下記質量％で共重合してなり、重量平均分子量が５，０００〜１，０００，０００である高分子化合物を含有するコンタクトレンズ用プレケア剤。
（Ａ）下記一般式（１）で表される３級アミノ基を有する単量体１〜７５質量％及び／又は下記一般式（２）で表される４級アンモニウム基を有する単量体０．１〜３０質量％
【化１】
2005208628.tif 000015
（式中、Ｒ1は水素又はメチル基、Ａは酸素原子又はＮＨ、Ｒ2，Ｒ3は独立に、水素原子又は炭素数１〜４の直鎖もしくは分岐鎖のアルキル基、Ｒ4，Ｒ5は独立に、炭素数１〜４の直鎖もしくは分岐鎖のアルキル基を示し、ｍは０、１又は２である。）
【化２】
2005208628.tif 000016
（式中、Ｒ6は水素原子又はメチル基、Ａは酸素原子又はＮＨ、Ｒ7，Ｒ8は独立に、水素原子又は炭素数１〜４の直鎖もしくは分岐鎖のアルキル基、Ｒ9、Ｒ10及びＲ11は独立に、炭素数１〜４の直鎖もしくは分岐鎖のアルキル基を示し、ｎは０、１又は２、Ｘは、ハロゲン、ＯＨ、１／２ＳＯ4、ＨＳＯ4、１／３ＰＯ4、ＨＣＯ2又はＣＨ3ＣＯ2を示す。）
（Ｂ）下記一般式（３）で表される（メタ）アクリル酸エステル単量体５〜８０質量％
ＣＨ2＝Ｃ（Ｒ12）ＣＯＯＲ13                                        （３）
（式中、Ｒ12は水素原子又はメチル基であり、Ｒ13は炭素数１〜６の直鎖もしくは分岐鎖のアルキル基である。）
（Ｃ）下記一般式（４）で表されるビニルラクタム単量体０．１〜７９質量％
【化３】
2005208628.tif 000017
（式中、ｐは３又は４を示す。）
（Ｄ）上記（Ａ）、（Ｂ）及び（Ｃ）以外のノニオン性親水性単量体１〜８０質量％
【請求項２】
上記（Ａ）〜（Ｄ）の単量体中、（Ａ）単量体と、（Ｂ）単量体と、（Ｃ）及び（Ｄ）単量体から選ばれる１種又は２種以上の単量体とを上記質量％で共重合してなり、重量平均分子量が５，０００〜１，０００，０００である高分子化合物を含有するコンタクトレンズ用プレケア剤。
【請求項３】
上記（Ａ）単量体と、上記（Ｂ）単量体とを上記質量％で共重合してなり、重量平均分子量が５，０００〜１，０００，０００である高分子化合物を含有するコンタクトレンズ用プレケア剤。
【請求項４】
上記（Ａ）単量体と、上記（Ｄ）単量体とを上記質量％で共重合してなり、重量平均分子量が５，０００〜１，０００，０００である高分子化合物を含有するコンタクトレンズ用プレケア剤。
【請求項５】
コンタクトレンズ用保存液、コンタクトレンズ装着液、又はこれらへの添加剤である請求項１〜４記載のいずれか１項記載のコンタクトレンズ用プレケア剤。
【請求項６】
使い捨てコンタクトレンズが保存されている保存液に添加して使用することを特徴とする請求項１〜４のいずれか１項記載のコンタクトレンズ用プレケア剤。
【請求項７】
コンタクトレンズが保存されている保存液に、請求項１〜４のいずれか１項記載のコンタクトレンズ用プレケア剤を添加することを特徴とするコンタクトレンズのプレケア方法。
【発明の詳細な説明】
【技術分野】
【０００１】
本発明は、コンタクトレンズ用のプレケア剤と、それを用いる方法に関する。さらに詳しくは、コンタクトレンズ表面に吸着してレンズへの汚れ付着を防止し、うるおい感を付与することが可能な共重合体を含有するコンタクトレンズ用のプレケア剤及びプレケア方法に関する。
【背景技術】
【０００２】
近年コンタクトレンズの利用が普及している。コンタクトレンズは直接眼に装用することから、涙液中のタンパク質、脂質、ムチン等の汚れ物質が表面に付着することに伴い、コンタクトレンズの表面状態が装用中に変化し、徐々に乾燥感、異物感、くもり、痒み、等の不快な症状が発生する。このような症状を放置したままコンタクトレンズを装用し続けると、角膜障害等眼に対するダメージが生じる場合がある。このため、コンタクトレンズ表面に涙液中のタンパク質等の汚れ物質が付着することを抑制し、装用中の不快な症状を解消することがコンタクトレンズ使用者から強く望まれている。
【０００３】
汚れがコンタクトレンズに付着することを抑制するための試みがいくつか提案されている。例えば、コンタクトレンズ製造時に表面処理を行うことにより汚れを付着しにくくする方法が提案されている（特許文献１：特開２００１−１０８９４９号公報、２：特開２０００−１００５４号公報参照）。しかしながら、これらのコンタクトレンズ製造時に表面処理を行う方法は、コンタクトレンズ購入直後は汚れ付着防止効果を発揮するが、装用・洗浄・保存を繰り返すうちに処理面が剥がれ、あるいは変質して汚れが付着しやすくなるため、長期間にわたってコンタクトレンズ表面への汚れ付着防止効果を得ることはできない。
【０００４】
また、コンタクトレンズに付着したタンパク質等の汚れを除去するために、酵素等を利用してコンタクトレンズ保存と同時にタンパク質等の汚れを除去するタンパク除去剤のコンタクトレンズケア方法が提案されている。これはコンタクトレンズ装用中に付着したタンパク質をコンタクトレンズ装用後に眼から外してから除去することが目的であり、コンタクトレンズ装用中のタンパク質付着を抑制する効果はない。そのため、コンタクトレンズ装用毎に、通常の洗浄や消毒に加えて定期的にタンパク質除去を行う必要があるため手間がかかり、コンタクトレンズ装用中にタンパク質等の汚れがコンタクトレンズに付着することを防止することはできないため、コンタクトレンズを装用する間に、眼の乾き、違和感、くもり、痒み等の装用感の悪化を抑制することはできなかった。また、酵素を配合したコンタクトレンズケア剤は、眼に対する安全性の観点から装用前に必ず水道水あるいは専用すすぎ液を用いて、コンタクトレンズを充分にすすいで酵素を完全に除去してから装用する必要があり、使用の際には注意する必要がある。
【０００５】
このような状況に対し、コンタクトレンズ装用中にコンタクトレンズ表面へのタンパク質付着を抑制することを目的とした提案がされている。例えば、コンタクトレンズへのタンパク質付着防止技術として４級アミン基を１０〜４５ｍｏｌ％有する高分子化合物が提案されている（特許文献３：特表２０００−５１０１８６号公報）。また、コンタクトレンズへのタンパク質の蓄積を阻害する組成物及び方法が提案されているが、４級アミン基の含有率が高すぎるために、表面に吸着して優れたタンパク質付着防止能を付与する機能は得られない。
【０００６】
また、２−アミノ−２−メチル−１，３−プロパンジオール類を含有する組成物によるコンタクトレンズの汚れ付着防止方法が提案されているが（特許文献４：特開平１０−１３７３２７号公報）、この組成物とタンパク質とを共存させた溶液について付着防止効果があり、コンタクトレンズ装用中に点眼する等により、この組成物を常時補給しないとタンパク質の付着を抑制することができない。
【０００７】
他に、特定の高分子化合物と、界面活性剤と、蛋白質分解酵素とを含有した組成物によるコンタクトレンズの汚れ付着防止方法が提案されているが（特許文献５：特開平１０−１３７３２７号公報）、この組成物は酵素を配合していることから、処理した後に水又はすすぎ液にて充分すすぐ必要がある。
【０００８】
また、本出願人は、防汚性高分子をコンタクトレンズ洗浄剤に配合した洗浄性防汚剤組成物を提案しているが（特許文献６：特開２００２−２５６０３０号公報、特許文献７：特開２００３−２５２９３４号公報参照）、さらに高い効果（うるおい感、眼の乾き防止等の装用感）が望まれていた。
【０００９】
【特許文献１】特開２００１−１０８９４９号公報
【特許文献２】特開２０００−１００５４号公報
【特許文献３】特表２０００−５１０１８６号公報
【特許文献４】特開平１０−１３７３２７号公報
【特許文献５】特開２０００−１４７４４２号公報
【特許文献６】特開２００２−２５６０３０号公報
【特許文献７】特開２００３−２５２９３４号公報
【発明の開示】
【発明が解決しようとする課題】
【００１０】
本発明は、コンタクトレンズ装用中に発生するレンズへのタンパク質等の汚れ付着を防止し、うるおい感を与え、眼の乾き等の装用感悪化を抑制するコンタクトレンズ用プレケア剤組成物、プレケア方法を提供することを目的とする。
【課題を解決するための手段】
【００１１】
本発明者は、上記目的を達成するため鋭意検討した結果、（Ａ）アミノ基を有する単量体及び／又は４級アンモニウム基を有する単量体と、（Ｂ）（メタ）アクリル酸エステル単量体、（Ｃ）ビニルラクタム単量体及び（Ｄ）上記（Ａ）、（Ｂ）及び（Ｃ）以外のノニオン性親水性単量体の１種又は２種以上の単量体を、特定の割合で共重合させてなる高分子化合物を含有する組成物が、低濃度で短時間処理によってもコンタクトレンズ表面に吸着し、優れた防汚性を有することを知見した。さらに鋭意検討した結果、上記高分子化合物を水溶性組成物中に含有させてなる組成物によって、コンタクトレンズを装用する前にプレケア処理を行うことにより、上記効果に加えてコンタクトレンズ装用中の涙液あるいは瞬目による希釈においても高分子化合物が洗い流されず、コンタクトレンズ装用中の乾燥感を防ぎ、装用感を向上させることができることを知見し、本発明をなすに至ったものである。
【００１２】
また、上記高分子化合物を含有するプレケア剤を、使い捨てコンタクトレンズが保存されている保存液に添加して使用することにより、使い捨てコンタクトレンズのプレケアが簡便に可能になること、変形しやすい使い捨てコンタクトレンズを変形させることなくプレケアができること、保存とプレケアが同時にできること、さらに装用中、レンズにタンパク質が付着することを防ぎ、装用感を向上させることができることを知見し、本発明をなすに至ったものである。使用前後に洗浄、すすぎ等が必要な使い捨て以外のコンタクトレンズと異なり、従来装用前にケア剤を必要としない使い捨てコンタクトレンズに、このようなプレケア方法を用いることは、本発明者の新知見である。
【００１３】
従って、下記発明を提供する。
［１］  下記（Ａ）〜（Ｄ）の単量体中、（Ａ）単量体と、（Ｂ）〜（Ｄ）単量体から選ばれる１種又は２種以上の単量体とを下記質量％で共重合してなり、重量平均分子量が５，０００〜１，０００，０００である高分子化合物を含有するコンタクトレンズ用プレケア剤。
（Ａ）下記一般式（１）で表される３級アミノ基を有する単量体１〜７５質量％及び／又は下記一般式（２）で表される４級アンモニウム基を有する単量体０．１〜３０質量％
【００１４】
【化１】
2005208628.tif 000002
（式中、Ｒ1は水素又はメチル基、Ａは酸素原子又はＮＨ、Ｒ2，Ｒ3は独立に、水素原子又は炭素数１〜４の直鎖もしくは分岐鎖のアルキル基、Ｒ4，Ｒ5は独立に、炭素数１〜４の直鎖もしくは分岐鎖のアルキル基を示し、ｍは０、１又は２である。）
【００１５】
【化２】
2005208628.tif 000003
（式中、Ｒ6は水素原子又はメチル基、Ａは酸素原子又はＮＨ、Ｒ7，Ｒ8は独立に、水素原子又は炭素数１〜４の直鎖もしくは分岐鎖のアルキル基、Ｒ9、Ｒ10及びＲ11は独立に、炭素数１〜４の直鎖もしくは分岐鎖のアルキル基を示し、ｎは０、１又は２、Ｘは、ハロゲン、ＯＨ、１／２ＳＯ4、ＨＳＯ4、１／３ＰＯ4、ＨＣＯ2又はＣＨ3ＣＯ2を示す。）
（Ｂ）下記一般式（３）で表される（メタ）アクリル酸エステル単量体５〜８０質量％
ＣＨ2＝Ｃ（Ｒ12）ＣＯＯＲ13                                        （３）
（式中、Ｒ12は水素原子又はメチル基であり、Ｒ13は炭素数１〜６の直鎖もしくは分岐鎖のアルキル基である。）
（Ｃ）下記一般式（４）で表されるビニルラクタム単量体０．１〜７９質量％
【００１６】
【化３】
2005208628.tif 000004
（式中、ｐは３又は４を示す。）
（Ｄ）上記（Ａ）、（Ｂ）及び（Ｃ）以外のノニオン性親水性単量体１〜８０質量％
［２］．上記（Ａ）〜（Ｄ）の単量体中、（Ａ）単量体と、（Ｂ）単量体と、（Ｃ）及び（Ｄ）単量体から選ばれる１種又は２種以上の単量体とを上記質量％で共重合してなり、重量平均分子量が５，０００〜１，０００，０００である高分子化合物を含有するコンタクトレンズ用プレケア剤。
［３］．上記（Ａ）単量体と、上記（Ｂ）単量体とを上記質量％で共重合してなり、重量平均分子量が５，０００〜１，０００，０００である高分子化合物を含有するコンタクトレンズ用プレケア剤。
［４］．上記（Ａ）単量体と、上記（Ｄ）単量体とを上記質量％で共重合してなり、重量平均分子量が５，０００〜１，０００，０００である高分子化合物を含有するコンタクトレンズ用プレケア剤。
［５］．コンタクトレンズ用保存液、コンタクトレンズ装着液、又はこれらへの添加剤である［１］〜［４］のいずれかに記載のコンタクトレンズ用プレケア剤。
［６］．使い捨てコンタクトレンズが保存されている保存液に添加して使用することを特徴とする［１］〜［４］のいずれかに記載のコンタクトレンズ用プレケア剤。
［７］．コンタクトレンズが保存されている保存液に、［１］〜［４］のいずれかに記載のコンタクトレンズ用プレケア剤を添加することを特徴とするコンタクトレンズのプレケア方法。
【発明の効果】
【００１７】
本発明のコンタクトレンズ用プレケア剤組成物によれば、コンタクトレンズ装用中に発生するレンズのタンパク質等の汚れ付着を防止し、うるおい感を与え、眼の乾き等の装用感悪化を抑制するコンタクトレンズ用プレケア剤組成物、プレケア方法を提供することができる。
【発明を実施するための最良の形態】
【００１８】
以下、本発明についてより詳細に説明する。
本発明の高分子化合物は、上記（Ａ）〜（Ｄ）の単量体中、（Ａ）単量体と、（Ｂ）〜（Ｄ）単量体から選ばれる１種又は２種以上の単量体とを上記質量％で共重合してなるものであり、（Ａ）〜（Ｄ）単量体の合計配合量（１００質量％）に対して各単量体の配合量が特定割合となるように配合したものである。従って、本発明の共重合体における各単量体からなる構成単位の含有量は、共重合する際の各単量体の配合量と同様である。
【００１９】
本発明の（Ａ）単量体及びその量は、（Ａ）下記一般式（１）で表される３級アミノ基を有する単量体１〜７５質量％及び／又は下記一般式（２）で表される４級アンモニウム基を有する単量体０．１〜３０質量％である。
【化４】
2005208628.tif 000005
（式中、Ｒ1は水素又はメチル基、Ａは酸素原子又はＮＨ、Ｒ2，Ｒ3は独立に、水素原子又は炭素数１〜４の直鎖もしくは分岐鎖のアルキル基、Ｒ4，Ｒ5は独立に、炭素数１〜４の直鎖もしくは分岐鎖のアルキル基を示し、ｍは０、１又は２である。）
【化５】
2005208628.tif 000006
（式中、Ｒ6は水素原子又はメチル基、Ａは酸素原子又はＮＨ、Ｒ7，Ｒ8は独立に、水素原子又は炭素数１〜４の直鎖もしくは分岐鎖のアルキル基、Ｒ9、Ｒ10及びＲ11は独立に、炭素数１〜４の直鎖もしくは分岐鎖のアルキル基を示し、ｎは０、１又は２、Ｘは、ハロゲン、ＯＨ、１／２ＳＯ4、ＨＳＯ4、１／３ＰＯ4、ＨＣＯ2又はＣＨ3ＣＯ2を示す。）である。
【００２０】
ここで、上記一般式（１）において、Ｒ1は水素原子又はメチル基、Ａは酸素原子又はＮＨ、Ｒ2，Ｒ3は独立に、水素原子又は炭素数１〜４の直鎖もしくは分岐鎖のアルキル基、Ｒ4，Ｒ5は独立に、炭素数１〜４の直鎖もしくは分岐鎖のアルキル基を示し、ｍは０、１又は２である。炭素数１〜４の直鎖もしくは分岐鎖のアルキル基としては、メチル基、エチル基、プロピル基、イソプロピル基、ブチル基、ｔ−ブチル基、イソブチル基が挙げられる。
【００２１】
一般式（１）で表される３級アミノ基を有する単量体として、より具体的には、（メタ）アクリル酸ジメチルアミノエチル（以下、（メタ）アクリルはアクリルとメタクリルを表す）、（メタ）アクリル酸ジエチルアミノエチル、（メタ）アクリル酸ジプロピルアミノエチル等の（メタ）アクリル酸ジアルキルアミノアルキル化合物、ジメチルアミノエチル（メタ）アクリルアミド、ジメチルアミノプロピル（メタ）アクリルアミド、ジエチルアミノプロピル（メタ）アクリルアミド等のジアルキルアミノアルキル（メタ）アクリルアミド化合物等が挙げられ、好ましくは（メタ）アクリル酸ジメチルアミノエチル、（メタ）アクリル酸ジエチルアミノエチル、（メタ）アクリル酸ジプロピルアミノエチル等の（メタ）アクリル酸ジアルキルアミノアルキル化合物、ジメチルアミノエチル（メタ）アクリルアミド、ジメチルアミノプロピル（メタ）アクリルアミド、ジエチルアミノプロピル（メタ）アクリルアミド等のジアルキルアミノアルキル（メタ）アクリルアミド化合物であり、さらに好ましくは（メタ）アクリル酸ジメチルアミノエチル、（メタ）アクリル酸ジエチルアミノエチル、ジメチルアミノプロピル（メタ）アクリルアミド、ジエチルアミノプロピル（メタ）アクリルアミド等である。
【００２２】
ここで、上記一般式（２）において、Ｒ6は水素原子又はメチル基、Ａは酸素原子又はＮＨ、Ｒ7，Ｒ8は独立に、水素原子又は炭素数１〜４の直鎖もしくは分岐鎖のアルキル基、Ｒ9，Ｒ10及びＲ11は独立に、炭素数１〜４の直鎖もしくは分岐鎖のアルキル基を示し、ｎは０、１又は２、Ｘは、ハロゲン、ＯＨ、１／２ＳＯ4、ＨＳＯ4、１／３ＰＯ4、ＨＣＯ2又はＣＨ3ＣＯ2を示す。炭素数１〜４の直鎖もしくは分岐鎖のアルキル基としては、メチル基、エチル基、プロピル基、イソプロピル基、ブチル基、ｔ−ブチル基、イソブチル基が挙げられる。
【００２３】
一般式（２）で表される４級アンモニウム基を有する単量体としては、（メタ）アクリル酸ジメチルアミノエチルメチルクロライド塩、（メタ）アクリル酸ジメチルアミノエチルエチルクロライド塩、（メタ）アクリル酸ジメチルアミノエチルエチル硫酸塩、（メタ）アクリル酸ジメチルアミノエチルメチルリン酸塩、（メタ）アクリル酸ジメチルアミノエチルエチルリン酸塩、（メタ）アクリル酸ジエチルアミノエチルメチルクロライド塩、（メタ）アクリル酸ジエチルアミノエチルエチルクロライド塩、（メタ）アクリル酸ジエチルアミノエチルジメチルアミノエチルエチル硫酸塩、（メタ）アクリル酸ジエチルアミノエチルメチルリン酸塩、（メタ）アクリル酸ジエチルアミノエチルエチルリン酸塩、ジメチルアミノプロピル（メタ）アクリルアミドメチルクロライド塩、ジメチルアミノプロピル（メタ）アクリルアミドエチルクロライド塩又はジメチルアミノプロピル（メタ）アクリルアミドエチル硫酸塩、ジメチルアミノプロピル（メタ）アクリルアミドメチルリン酸塩、ジメチルアミノプロピル（メタ）アクリルアミドエチルリン酸塩等が挙げられ、好ましくは（メタ）アクリル酸ジメチルアミノエチルメチルクロライド塩、（メタ）アクリル酸ジメチルアミノエチルエチルクロライド塩、（メタ）アクリル酸ジメチルアミノエチルエチル硫酸塩、（メタ）アクリル酸ジエチルアミノエチルメチルクロライド塩、（メタ）アクリル酸ジエチルアミノエチルエチルクロライド塩、（メタ）アクリル酸ジエチルアミノエチルジメチルアミノエチルエチル硫酸塩、ジメチルアミノプロピル（メタ）アクリルアミドメチルクロライド塩、ジメチルアミノプロピル（メタ）アクリルアミドエチルクロライド塩又はジメチルアミノプロピル（メタ）アクリルアミドエチル硫酸塩であり、さらに好ましくは（メタ）アクリル酸ジメチルアミノエチルメチルクロライド塩、（メタ）アクリル酸ジメチルアミノエチルエチルクロライド塩、（メタ）アクリル酸ジメチルアミノエチルエチル硫酸塩である。本発明において、（Ａ）単量体は１種単独で又は２種以上を適宜組み合わせて用いることができる。
【００２４】
（Ａ）単量体の含有量は、一般式（１）で表される３級アミノ基を有する単量体として、全単量体中１〜７５質量％、好ましくは２〜５５質量％、より好ましくは３〜３５質量％である。一般式（２）で表される４級アンモニウム基を有する単量体として、全単量体中０．１〜３０質量％、好ましくは０．５〜２０質量％、より好ましくは１〜１０質量％含有される。含有量が多すぎると、水への溶解性が高いため耐久性がなく、低濃度処理、短時間処理での性能が低下する。
【００２５】
本発明の（Ｂ）単量体は、下記一般式（３）で表される（メタ）アクリル酸エステル単量体である。
ＣＨ2＝Ｃ（Ｒ12）ＣＯＯＲ13                                        （３）
（式中、Ｒ12は水素原子又はメチル基であり、Ｒ13は炭素数１〜６の直鎖もしくは分岐鎖のアルキル基である。）
【００２６】
ここで、一般式（３）において、Ｒ12は水素原子又はメチル基であり、Ｒ13は炭素数が１〜６、好ましくは１〜４の直鎖もしくは分岐鎖のアルキル基である。
【００２７】
（Ｂ）単量体として、より具体的には、例えば（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ｔ−ブチル、（メタ）アクリル酸イソブチル、（メタ）アクリル酸ヘキシル等が挙げられる。この中でも好ましくは（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ｔ−ブチルが好ましく、さらに好ましくはメタクリル酸メチル、メタクリル酸エチル、メタクリル酸プロピル、メタクリル酸イソプロピル、メタクリル酸ブチル、メタクリル酸ｔ−ブチルが好ましい。これらは１種単独で又は２種以上を適宜組み合わせて用いることができる。
【００２８】
（Ｂ）単量体の含有量は、全単量体中５〜８０質量％であり、含有量の下限は２５質量％以上が好ましく、より好ましくは３０質量％以上である。上限は５５質量％以下が好ましく、より好ましくは５０質量％以下である。含有量が少なすぎると低濃度処理、短時間処理によるタンパク質付着防止能が低下し、含有量が多すぎると高分子化合物の水に対する溶解性が低下する。
【００２９】
本発明の（Ｃ）単量体は、下記一般式（４）で表されるビニルラクタム単量体である。    
【００３０】
【化６】
2005208628.tif 000007
（式中、ｐは３又は４を示す。）
【００３１】
（Ｃ）単量体としては、例えば、Ｎ−ビニルピロリドン、Ｎ−ビニルピペリドンが挙げられ、Ｎ−ビニル−２−ピロリドンが好ましい。これらは１種単独で又は２種以上を適宜組み合わせて用いることができる。
【００３２】
（Ｃ）単量体の含有量は、全単量体中０．１〜７９質量％であり、含有量の下限は１０質量％以上が好ましく、より好ましくは３０質量％以上である。上限は７５質量％以下が好ましく、より好ましくは７０質量％以下である。含有量が多すぎると、水への溶解性が高いため耐久性がなく、低濃度処理、短時間処理での性能が低下する。
【００３３】
本発明の（Ｄ）単量体は、上記（Ａ）、（Ｂ）及び（Ｃ）単量体以外のノニオン性親水性単量体である。より具体的には、例えば、下記一般式（５）で示されるポリアルキレンオキサイド基含有単量体、糖類縁基含有単量体等が挙げられる。
【００３４】
ＣＨ2＝Ｃ（Ｒ14）ＣＯＯ（ＣqＨ2qＯ）rＲ15        （５）
（式中、Ｒ14は水素原子又はメチル基、Ｒ15は水素原子、炭素数１〜４のアルキル基又はフェニル基を示す。ｑは２〜４の整数であり、ｒは２〜２５０を示す。）
【００３５】
ポリアルキレンオキサイド基含有単量体としては、例えばポリエチレングリコールモノ（メタ）アクリレート、ポリエチレングリコール−ポリプロピレングリコール（メタ）アクリレート等のポリアルキレングリコールモノ（メタ）アクリレート、メトキシポリエチレングリコールモノ（メタ）アクリレート、メトキシポリエチレングリコール−ポリプロピレングリコール（メタ）アクリレート、エトキシポリエチレングリコール（メタ）アクリレート、エトキシポリエチレングリコール−ポリプロピレングリコール（メタ）アクリレート等のポリアルキレングリコールモノ（メタ）アクリレート等の炭素数１〜３のアルキル基でアルコキシ化されたアルコキシポリアルキレングリコールモノ（メタ）アクリレート、フェノキシポリエチレングリコール（メタ）アクリレート、フェノキシポリエチレングリコール−ポリプロピレングリコール（メタ）アクリレート等が挙げられる。糖類縁基含有単量体としては、ＧＵＭＡ（グルコシルエチルメタクリレート）等が挙げられる。このうち好ましくは、メトキシポリエチレングリコールモノ（メタ）アクリレートであり、より好ましくは（Ｃ2Ｈ4Ｏ）の平均繰り返し数が２〜２５のメトキシポリエチレングリコールモノ（メタ）アクリレートである。これらは１種単独で又は２種以上を適宜組み合わせて用いることができる。
【００３６】
（Ｄ）単量体の含有量は、全単量体中１〜８０質量％であり、含有量の下限は５質量％以上が好ましく、より好ましくは１０質量％以上である。上限は６０質量％以下が好ましく、より好ましくは４０質量％以下である。含有量が多すぎると、水への溶解性が高いため耐久性がなく、低濃度処理、短時間処理での性能が低下する。
【００３７】
本発明の高分子化合物は、これらの単量体（Ａ）、（Ｂ）、（Ｃ）及び（Ｄ）単量体を下記１〜４の組み合わせで共重合してなるものである。
１．（Ａ）単量体と、（Ｂ）〜（Ｄ）単量体から選ばれる１種又は２種以上
２．（Ａ）単量体と（Ｂ）単量体と、（Ｃ）及び（Ｄ）単量体から選ばれる１種又は２種    以上
３．（Ａ）単量体と（Ｂ）単量体
４．（Ａ）単量体と（Ｄ）単量体
【００３８】
本発明の高分子化合物は、重量平均分子量が５，０００〜１，０００，０００、好ましくは１０，０００〜５００，０００、より好ましくは１０，０００〜４００，０００のものが好ましい。重量平均分子量が小さすぎると、コンタクトレンズのポアサイズより小さくなる場合があり、大きすぎると高分子化合物溶液の粘度が高すぎて製剤設計上の制限が生じる。なお、重量平均分子量は、本発明においてはゲルパーミエーションクロマトグラフィーで、酢酸、酢酸ナトリウムの水／エタノール溶液を移動相とし、ポリエチレングリコールを標準として求めることができる。
【００３９】
本発明の高分子化合物の製造方法は、上記（Ａ）〜（Ｄ）単量体を共重合した共重合体を調製できれば特に限定されないが、例えば溶液重合、懸濁重合、塊状重合により重合することができる。工業的には、溶液重合、懸濁重合によるラジカル重合が好ましく、中でも溶液重合による方法が好ましい。なお、本発明の共重合体は、ランダム共重合体であってもブロック共重合体であってもよい。
【００４０】
溶液重合によって重合する場合、溶媒としては、例えば水、メチルアルコール、エチルアルコール、イソプロピルアルコール等の低級アルコール、ベンゼン、トルエン、キシレン、シクロヘキサン、ヘキサン等の芳香族、脂肪族又は複素環式化合物、酢酸エチル、アセトン、メチルエチルケトン等の各種有機溶剤が使用できる。重合濃度は特に限定されないが、通常１０〜５０質量％で重合するのが好ましい。
【００４１】
重合開始剤としては、例えば過硫酸アンモニウム、過硫酸ナトリウム、過硫酸カリウム等の過硫酸塩、ベンゾイルパーオキサイド、ラウロイルパーオキサイド等のパーオキサイド、クメンハイドロパーオキサイド、ハイドロパーオキサイド等のハイドロパーオキサイド、アゾビスイソブチロニトリル等のアゾ化合物等が挙げられる。重合開始剤濃度は、通常、使用する単量体全量に対して０．１〜１０モル％が好ましい。さらに、分子量を規制するためにアルキルメルカプタンのような連鎖移動剤、ルイス酸化合物等の重合促進剤、リン酸、クエン酸、酒石酸、乳酸等のｐＨ調整剤を使用してもよい。重合温度は、用いられる溶媒、重合開始剤により適宜定められるが、通常、室温〜１５０℃がよい。
【００４２】
本発明の高分子化合物は、使用に際し、酸を用いて中和することができる。中和に用いる酸としては、例えば、塩酸、硝酸、硫酸等の無機酸、ギ酸、酢酸、プロピオン酸、ヘプタン酸、オクタン酸、グリコール酸、サリチル酸、乳酸、Ｌ−アスコルビン酸、安息香酸等の１分子内に１つカルボキシル基を有する有機酸、しゅう酸、コハク酸、アスパラギン酸、クエン酸、グルタミン酸、フマル酸、リンゴ酸等の１分子内に２つ以上のカルボキシル基を有する有機酸、これらの有機酸の水和物等が挙げられ、１種単独又は２種以上を用いることができる。
【００４３】
本発明の高分子化合物中に含まれる残存単量体等の低分子量不純物は、活性炭、限界濾過、透析膜等の使用、あるいは蒸留、再沈殿処理することにより除去精製することができる。活性炭としては、一般的に用いられる木材、石炭、椰子殻等を薬品や蒸気で賦活した物等が挙げられ、その形状に関しても、粉体、破砕状、繊維状のもの等があるが特に限定されない。限外濾過膜の材質としては、ポリスルホン、ポリエーテルスルホン、ポリビニリデンジフルオリド、酢酸セルロース、ニトロセルロース等が使用できる。その形状に関しても平膜状、中空糸状等あるが特に限定されない。蒸留としては、単蒸留又は減圧蒸留が挙げられる。再沈殿としては、該高分子化合物が不溶で、かつ重合に用いた溶媒と均一混合される溶媒であればよい。
【００４４】
本発明のコンタクトレンズ用プレケア剤は、上記高分子化合物を含有するものである。高分子化合物のコンタクトレンズ用プレケア剤中の含有量は、特に制限されるものではないが、含有量の下限は０．０００１質量％以上が好ましく、より好ましくは０．００１質量％以上、特に好ましくは０．０１質量％以上である。上限は２０質量％以下が好ましく、より好ましくは１０質量％以下であり、特に好ましくは５質量％以下である。高分子化合物の含有量が少なすぎると、その機能が充分に発揮されず、多すぎると製剤設計上の制限が生じたり、プレケアを行ったコンタクトレンズを、すすがずに装用した場合に刺激感を感じる場合がある。
【００４５】
プレケア剤には、高分子化合物以外に、その用途に合わせて、アニオン性、カチオン性、ノニオン性及び両性の界面活性剤、消毒剤、防腐剤、緩衝剤、ｐＨ調整剤、安定化剤、等張化剤、溶解補助剤、清涼化剤、粘稠化剤を配合してもよく、これらは１種単独で又は２種以上を適宜組み合わせて用いることができる。
【００４６】
このような界面活性剤としては、例えば、アルキルベンゼンスルホン酸塩、硫酸アルキルポリオキシエチレン塩、アルキルポリオキシエチレンエーテル、脂肪酸ジエタノールアミド、Ｎ−アルキレンベタイン、ポリオキシエチレン硬化ヒマシ油６０（例えば、ＨＣＯ−６０、日本サーファクタント工業（株）製）等のポリオキシエチレンオキシステアリン酸トリグリセライド、ポリソリベート８０（例えばＴＯ−１０Ｍ、日本サーファクタント工業（株）製）等のモノオレイン酸ポリオキシエチレンソルビタン、ポリオキシエチレンポリオキシプロピレンブロックポリマー、ポロキサミン（例えば、ＴＥＴＲＯＮＩＣ１１０７、ＢＡＳＦジャパン製）等が挙げられる。消毒剤として、塩酸ポリヘキサメチレンビグアニド、塩化ポリドロニウム、グルコン酸クロルヘキシジン等、防腐剤として、塩化ベンザルコニウム、塩化セチルピリジニウム、塩化ベンゼトニウム、ソルビン酸、ソルビン酸カリウム、パラオキシ安息香酸メチル、パラオキシ安息香酸エチル、パラオキシ安息香酸プロピル、パラオキシ安息香酸ブチル等、緩衝剤として、ホウ酸、ホウ砂、トロメタモール、リン酸、リン酸二水素ナトリウム、リン酸水素二ナトリウム、リン酸二水素カリウム、リン酸水素二カリウム、クエン酸、クエン酸ナトリウム、炭酸水素ナトリウム、炭酸ナトリウム、酢酸、酢酸ナトリウム、酢酸カリウム、Ｌ−アスパラギン酸カリウム、イプシロン−アミノカプロン酸、グルタミン酸ナトリウム等、ｐＨ調節剤として、塩酸、水酸化ナトリウム、水酸化カリウム等、安定剤として、α−シクロデキストリン、エデト酸ナトリウム、亜硫酸水素ナトリウム、チオ硫酸ナトリウム等、等張化剤として、アミノエチルスルホン酸、塩化カリウム、塩化ナトリウム、塩化カルシウム、グリセリン、ブドウ糖、Ｄ−マンニトール等、溶解補助剤として、エタノール、尿素、プロピレングリコール、マグロゴール４０００、マクロゴール６０００等のポリエチレングリコール、ステアリン酸ポリオキシル、モノエタノールアミン等、清涼化剤として、ウイキョウ油、ｄｌ−カンフル、ゲラニオール、ハッカ油、ベルガモット油、ｄ−ボルネオール、ｌ−メントール、ユーカリ油、粘稠化剤等が挙げられる。また、必要に応じて低級アルコール、安定剤、抗菌剤、色素及び香料等のそれぞれ１種又は２種以上を併用してもよい。
【００４７】
本発明のプレケア剤には、水溶性高分子化合物を配合することが好ましい。本発明の高分子化合物と水溶性高分子化合物とを組み合せることにより、うるおい感の持続時間延長等、装用感をさらに向上させることができる。
【００４８】
水溶性高分子化合物としては、ヒドロキシプロピルメチルセルロース、ヒドロキシエチルセルロース、メチルセルロース等のセルロース誘導体、ポリビニルアルコール、ポリビニルピロリドン、カルボキシビニルポリマー等のポリビニル系高分子化合物、コンドロイチン硫酸ナトリウム、ヒアルロン酸等のムコ多糖類、ポリエチレングリコール、デキストラン等が挙げられる。この中でも好ましい水溶性高分子化合物は、セルロース誘導体、ポリビニル系高分子化合物、ポリエチレングリコール、コンドロイチン硫酸ナトリウム、ヒアルロン酸であり、特に好ましくは、ヒドロキシプロピルメチルセルロース、ヒドロキシエチルセルロース、ポリビニルアルコール、ポリビニルピロリドン、ポリエチレングリコール、コンドロイチン硫酸ナトリウム、ヒアルロン酸である。
【００４９】
水溶性高分子化合物の含有量は、特に制限されるものではないが、通常、コンタクトレンズ用プレケア剤中０．０００１〜２０質量％、好ましくは０．００１〜１０質量％、より好ましくは０．００５〜５質量％である。水溶性高分子化合物の含有量が少なすぎると、うるおい感等の装用感持続延長効果が向上しない場合があり、多すぎると粘度が高くなりすぎて製剤設計上の制限が生じる場合がある。
【００５０】
プレケア剤の調製方法は、常法に準じて調製することができ特に限定されない。プレケア剤を調製する場合、取り扱いのしやすさ及びコンタクトレンズに対する影響を考慮すると、水性組成物として調製することが好ましい。特に、本発明のプレケア剤にてコンタクトレンズをプレケアした後、すすがずにそのまま装用する場合、眼に対する影響を考慮すると、浸透圧、ｐＨその他の溶液物性を涙液に近い組成とした水性組成物がより好ましい。
【００５１】
本発明のプレケア剤の浸透圧は、生理食塩水に対する浸透圧比として、通常０．８〜１．５、好ましくは０．９〜１．３であり、ｐＨは通常５〜８．５、好ましくは６〜８であり、２０℃における粘度は、通常１０ｍＰａ・ｓ以下、好ましくは５ｍＰａ・ｓ以下である。
【００５２】
本発明のプレケアとは、コンタクトレンズを洗浄した後、装用する前に使用し、予めコンタクトレンズを表面処理することであって、コンタクトレンズの汚れ付着を防止し、装用感の悪化を防ぐものである。プレケア剤はこの処理に使用するものである。
【００５３】
具体的なプレケアの方法としては、コンタクトレンズの保存液、すすぎ液にプレケア剤を予め添加して、コンタクトレンズを表面処理する方法、コンタクトレンズの使用直前に、コンタクトレンズが保存されている保存液にプレケア剤を添加して、コンタクトレンズを表面処理する方法、コンタクトレンズ装用前に、コンタクトレンズをプレケア剤に浸漬、プレケア剤をコンタクトレンズに塗布あるいは直接滴下してから眼に装用する方法、及びこれらに類する方法が挙げられる。保存液にプレケア剤を添加する場合、すすぎ液保存液、洗浄保存液、消毒保存液、タンパク除去保存液、あるいはマルチパーパスソリューションに代表されるコンタクトレンズの消毒、洗浄を、コンタクトレンズの保存と同時に行う保存液に、該プレケア剤を添加してもよいが、洗浄した後、装用する前に使用する装着液に添加することが好ましい。
【００５４】
コンタクトレンズの保存液にプレケア剤を予め添加して、コンタクトレンズを表面処理する方法では、保存と同時にプレケア処理を行うことができる。
【００５５】
コンタクトレンズが保存されている保存液に、予めもしくは使用直前に、プレケア剤を添加してコンタクトレンズを表面処理する方法は、使い捨てコンタクトレンズには最適な処理方法である。即ち、使い捨てソフトコンタクトレンズは、耐久性よりも製造コストの低減が重視され、繰り返し使用のコンタクトレンズよりも物理的強度が高くない場合があるため、より物理的な力がかからない方法で処理することが好ましい。さらに、プレケア剤に浸漬又はプレケア剤を添加した保存液にコンタクトレンズを浸漬し、すすぐことなしにそのまま眼に装用する方法も挙げられ、この方法によれば非常に簡便にプレケアすることができる。なお、プレケア剤をコンタクトレンズ用保存液又はコンタクトレンズ装着液とすることもできる。
【００５６】
使い捨てコンタクトレンズは、開封直後そのまま装用し眼から外したらその都度捨てることから、タンパク質等の汚れを除去する必要がない。従って、本来コンタクトレンズ装用前にケア剤を必要とはしてなかった。しかしながら、本発明の使用方法は、装用前の簡便なプレケアによって、装用中のタンパク付着を防止し、開封直後の新品の装用感を装用中も維持し、さらに装用感を向上させることができることから、使い捨てコンタクトレンズ用プレケア剤として最適である。
【実施例】
【００５７】
以下、実施例及び比較例を示し、本発明を具体的に説明するが、本発明は下記の実施例に制限されるものではない。なお、下記の例において特に明記のない場合は、組成の「％」は質量％を示す。
【００５８】
［調製例１］
冷却還流管、滴下ロート、温度計、窒素導入管及び撹拌装置を取り付けたセパラブルフラスコにエタノール２００ｇを仕込み、撹拌しながら窒素ガスを導入して７８℃に加熱し、メタクリル酸ジメチルアミノエチル（以下、ＤＭと略す）１５．８ｇ、メタクリル酸メチル（以下、ＭＭＡと略す）３３．６ｇ、ビニルピロリドン（以下、ＶＰと略す）１００．６ｇ（単量体の合計配合量１５０ｇ、全単量体中のＤＭ分＝１０．５質量％、全単量体中のＭＭＡ分＝２２．４質量％、全単量体中のＶＰ分＝６７．１質量％に相当）、エタノール３５ｇの混合溶液と、２，２−（アゾビス（２−メチルブチロニトリル））０．７８ｇ、エタノール１１５ｇの混合溶液とを連続的に３時間かけて加え、さらに３時間加熱し続けて、表１に示す組成の調製例１の高分子化合物（共重合体）を得た。
【００５９】
［調製例２〜２５］
上記調製例１において、表１の組成となるように単量体の種類、配合割合を変えた以外は、上記調製例１と同様の方法によって表１に示す組成の調製例２〜２５の高分子化合物（共重合体）を得た。なお、単量体の合計配合量は、実施例１と同様（１５０ｇ）である。
【００６０】
［調製比較例１，２］
市販の下記高分子化合物及び生理食塩水を調製比較例１，２とした。
調製比較例１：ポリビニルピロリドン（Ｋｏｌｌｉｄｏｎ  ９０Ｆ）：ＢＡＳＦ社製，以下ＰＶＰと略す。
調製比較例２：生理食塩水
【００６１】
上記調製例１〜２５の高分子化合物（共重合体）及び調製比較例１の０．１％水溶液（ｐＨ：７．０〜７．５，浸透圧：約１．０）及び調製比較例２として生理食塩水に、コンタクトレンズを１時間浸漬してプレケア処理を行い、下記の方法にてタンパク付着抑制効果を評価した。結果を表１に併記する。なお、調製例１〜２５の高分子化合物の重量平均分子量は５，０００〜１，０００，０００の範囲であった。
【００６２】
〈タンパク付着抑制効果の評価〉
（１）コンタクトレンズの処理
コンタクトレンズ（ジョンソン・エンド・ジョンソン（株）製  ワンデーアキュビュー）を、ｐＨ７付近に調整した上記所定濃度の高分子化合物（共重合体）溶液４ｍＬに浸漬し、室温にて上記所定時間浸漬した。
（２）評価方法
このコンタクトレンズを取り出してイオン交換水で軽く濯ぎ、清浄な柔らかい紙で水分を吸い取り評価コンタクトレンズとした。涙液中に多く含まれるタンパク質の一種であるリゾチーム（和光純薬（株）製  卵白リゾチーム）を、ｐＨ約７．０に調整した生理食塩水に０．１２質量％となるように溶解してモデル涙液を調製した。このモデル涙液に評価コンタクトレンズを浸漬し、３７℃で１時間加温震盪した後、コンタクトレンズを取り出し、清浄な柔らかい紙で水分を吸い取った。このコンタクトレンズを、ニンヒドリン指示薬を用いてレンズに付着したリゾチームを染色し、発色の状態を以下の評価基準に従って評価した。
【００６３】
〈評価基準〉
５：全く染まらない（コンタクトレンズを卵白リゾチーム溶液に接触させず、ニンヒドリン指示薬を用いた時の着色状態に相当）
４：ほとんど染まらない
３：僅かに染まる
２：かなり染まる
１：激しく染まる（コンタクトレンズをプレケア剤による処理をせず、卵白リゾチーム溶液に接触させてニンヒドリン指示薬を用いた時の着色状態に相当）
【００６４】
【表１】
2005208628.tif 000008
比較調製例１：ＰＶＰ
比較調製例２：生理食塩水
略語
ＤＭ          メタクリル酸ジメチルアミノエチル
ＤＭＡ        アクリル酸ジメチルアミノエチル
ＤＭＡＰＡＡ  ジメチルアミノプロピルアクリルアミド
ＭＭＡ        メタクリル酸メチル
ｔ−ＢＭＡ    メタクリル酸ｔ−ブチル
ＶＰ          ビニルピロリドン
Ｍ−４０Ｇ  メトキシポリエチレングリコールメタクリレート（平均付加モル数ｐ＝４）
Ｍ−９０Ｇ  メトキシポリエチレングリコールメタクリレート（平均付加モル数ｐ＝９）
【００６５】
［調製例２６］
冷却還流管、滴下ロート、温度計、窒素導入管及び撹拌装置を取り付けたセパラブルフラスコにエタノール１２０ｇを仕込み、撹拌しながら窒素ガスを導入して内温を７８℃に加熱し、ＤＭＡＰＡＡ５．６ｇ、ＭＭＡ２３．０ｇ、ＶＰ４５．６ｇ、メトキシポリエチレングリコールメタクリレート  メタクリル酸メトキシエチル（平均ＥＯ＝９モル付加）（以下Ｍ−９０Ｇと略す）１５．８ｇ（全単量体中のＤＭＡＰＡＡ分＝６．１質量％、全単量体中のＭＭＡ分＝２５．６質量％、全単量体中のＶＰ分＝５０．７質量％、全単量体中のＭ−９０Ｇ＝１７．６質量％）、エタノール４１ｇの混合溶液と、２，２−（アゾビス（２−メチルブチロニトリル））０．７１ｇ、エタノール４９．１ｇの混合溶液とを連続的に２時間かけて加え、さらに４時間加熱し続けて重合反応後、共重合体の固形分が２質量％になるようにイオン交換水を加えると同時に１ｍｏｌ％Ｌの塩酸水溶液を加えてｐＨを６に調整し、再生セルロース製透析チューブに入れ、イオン交換水を取り替えながら１週間透析を行なった。得られた水溶液を凍結乾燥機を使って乾燥し、表２に示す組成の調製例２６の高分子化合物（精製共重合体）を得た。
【００６６】
［調製例２７〜７０］
上記調製例２６において、表２の組成となるように単量体の種類、配合割合を代えた以外は、上記調製例２６と同様の方法によって表３に示す組成の調製例２７〜７０の高分子化合物を得た。
【００６７】
【表２】
2005208628.tif 000009
略語
ＤＭＣ        メタクリル酸ジメチルアミノエチルメチルクロライド
ＤＭＡＰＭＡ  ジメチルアミノプロピルメタクリルアミド
【００６８】
［実施例１〜６、比較例１，２］
表３に示す組成に従い調製したプレケア剤を用い、使い捨てコンタクトレンズ（ジョンソン・エンド・ジョンソン（株）製ワンデーアキュビュー）を１５分間浸漬してプレケア処理を行った後、上記評価方法でタンパク付着抑制効果及び下記方法で接触角を測定した。比較例１及び２として、ＰＶＰ水溶液及び生理食塩水を用いて同様に評価した。
【００６９】
〈接触角の測定方法〉
コンタクトレンズの装用感に大きく関与するうるおい感の指標として、上記方法にてプレケアしたコンタクトレンズ表面の接触角を測定した。上記プレケア後、コンタクトレンズを取りだして、清浄な柔らかい紙で水分を充分に吸い取った表面に対する生理食塩水の接触角（１分後）を、接触角計（協和界面科学（株）製  ＣＡ−Ａ型）にて測定した。
【００７０】
【表３】
2005208628.tif 000010
【００７１】
以上の結果より、本発明のプレケア剤にてプレケア処理を行ったコンタクトレンズは、いずれもタンパク付着抑制効果に優れ、接触角が低くなっていることから、プレケア処理を行うことによりタンパク質の付着を防ぎ、コンタクトレンズ表面の濡れ性が向上し、コンタクトレンズ装用中にうるおい感を付与し、良好な装用感を得ることができる。
【００７２】
［実施例７〜１３、比較例３］
表４に示す組成に従い調製したプレケア剤を用い、使い捨てコンタクトレンズ（ジョンソン・エンド・ジョンソン（株）製ワンデーアキュビュー）を５分間浸漬してプレケア処理を行った後、上記方法でタンパク付着抑制効果及び接触角を評価した。比較例３として、ＰＶＰ水溶液を用いて同様に評価した。
【００７３】
【表４】
2005208628.tif 000011
【００７４】
以上の結果より、本発明のプレケア剤にてプレケア処理を行ったコンタクトレンズは、いずれも短時間のプレケア処理によってタンパク付着抑制効果を発揮し、接触角も低くする効果が得られた。このことから、本発明のプレケア剤にてプレケア処理を行うことにより、コンタクトレンズ表面へのタンパク質の付着を防ぐことができると同時に、コンタクトレンズ表面の濡れ性を向上させ、コンタクトレンズ装用中にうるおい感を付与し、良好な装用感を得ることができる。
【００７５】
［実施例１４〜２０、比較例４］
表５に示す組成にて調製したプレケア剤を、使い捨てコンタクトレンズ（ジョンソン・エンド・ジョンソン（株）製ワンデーアキュビュー）の封入容器に満たされている浸漬液に、３滴加えてかき混ぜた後、１５分間コンタクトレンズを浸漬してプレケア処理を行い、上記方法でタンパク付着抑制効果及び接触角を測定した。比較例４として、ＰＶＰ水溶液を用いて同様に評価した。
【００７６】
【表５】
2005208628.tif 000012
【００７７】
［試験例１］
実施例１と同一条件にてプレケア処理したコンタクトレンズ（ジョンソン・エンド・ジョンソン（株）製ワンデーアキュビュー）及び何も処理していないコンタクトレンズを、パネラー５人の左右の眼に別々に装用し、タンパク付着抑制効果及び装用開始後に乾燥感、異物感を感じるまでの時間の差を測定した。結果を表６に示す。タンパク付着抑制効果は、各パネラーがプレケア処理及び未処理コンタクトレンズを７時間装用後、ニンヒドリン指示薬にて付着したタンパク質を染色し、発色の状態を実施例１と同一評価基準にて評価した結果である。
【００７８】
【表６】
2005208628.tif 000013
※単位：ｈｒ（時）
数値：［プレケア処理コンタクトレンズ装用時の乾燥、異物感を感じるまでの時間（ｈｒ）］−［未処理コンタクトレンズ装用時の乾燥、異物感を感じるまでの時間（ｈｒ）］この値が＋の場合、未処理コンタクトレンズよりもプレケア処理コンタクトレンズの方が乾燥、異物感を感じるまでの時間が長く、装用感が良好であることを意味する。
【００７９】
表６の結果より、本発明のプレケア剤でコンタクトレンズ装用前にプレケア処理を行うことにより、コンタクトレンズ装用中のタンパク質付着を抑制すると共に、乾燥感及び違和感を感じる時間が延長することから、装用感が向上することが明らかである。
【００８０】
［実施例２１〜２７、比較例５］
表７に示す組成にて調製したプレケア剤（コンタクトレンズ装着液タイプ）を、使い捨てコンタクトレンズ（ジョンソン・エンド・ジョンソン（株）製ワンデーアキュビュー）に、１〜３滴滴下してレンズ全面になじませた後、上記方法でタンパク付着抑制効果及び接触角を測定した。本発明にかかる高分子化合物を配合しない比較例５を用いて同様に評価した。
【００８１】
【表７】
2005208628.tif 000014
略語
ＰＶＰ  ：ポリビニルピロリドン（Ｋｏｌｌｉｄｏｎ  ９０Ｆ）
ＨＰＭＣ：ヒドロキシプロピルメチルセルロース６０ＳＨ−５０
【００８２】
表７に記載した実施例のプレケア剤（コンタクトレンズ装着液タイプ）を使用した際の、装用開始後の使用感（乾燥感・異物感）を評価した結果、著しい効果が認められた。